(57)【特許請求の範囲】
【請求項１】
端末は、電子サービスガイド（ESG）情報をロジックチャネルから得るのに失敗した場合、ローカルESG情報が予め記憶されたか否かを検出し、そうであれば、既存のローカルESG情報を削除し、
前記端末は、制御チャネルから制御情報表を受信して記憶し、前記制御情報表は、継続的サービス多重構成表（CMCT）またはショートタイムサービス多重構成表（SMCT）であり、
前記端末は、前記継続的サービス多重構成表またはショートタイムサービス多重構成表から全てのサービスIDを抽出し、前記サービスIDを用いて前記ローカルESG情報を生成して記憶し、前記ローカルESG情報をユーザに提供し、
前記端末は、ユーザが選定した番組に対応する前記サービスIDを用いて、前記継続的サービス多重構成表またはショートタイムサービス多重構成表から当該サービスIDに対応する番組映写情報を検索し、前記番組映写情報に応じた番組データを受信して映写することを含む
電子サービスガイド（ESG）情報を生成し応用する方法。
【請求項２】
前記サービスIDは、ネットワーク側が番組源ごとに配置したサービスIDであり、前記サービスIDは番組源の番組映写情報に対応する請求項１に記載の方法。
【請求項３】
前記制御情報表は、継続的サービス構成表またはショートタイムサービス構成表である請求項１に記載の方法。
【請求項４】
前記番組映写情報は、変調モード、コーディングレート、スクランブルモード、バイトスワップモード及びスロット数の１つまたは複数の組合せを含む請求項１に記載の方法。
【請求項５】
番組受信映写モジュールと記憶モジュールを備え、
継続的サービス多重構成表（CMCT）またはショートタイムサービス多重構成表（SMCT）である制御情報表を制御チャネルから受信して前記記憶モジュールに記憶する情報受信検出モジュールと、
前記記憶モジュールに記憶する制御情報表から得るサービスIDを用いてローカル電子サービスガイド（ESG）情報を生成し、前記記憶モジュールに記憶するESG情報生成モジュールと、
前記記憶モジュールから前記ローカルESG情報を抽出してユーザに提供し、ユーザが前記ローカルESG情報から選定したサービスIDを用いて前記継続的サービス多重構成表またはショートタイムサービス多重構成表から相応の番組映写情報を検索して抽出し、前記番組映写情報を前記番組受信映写モジュールに送信するESG管理モジュールとを、さらに備え、
前記情報受信検出モジュールは、さらに、ESG情報をロジックチャネルから受信できないことが検出されたとき、前記ESG管理モジュールに通知して前記ESG情報生成モジュールを起動させ、
前記ESG管理モジュールは、さらに、前記情報受信検出モジュールが送信した通知を受信して、前記記憶モジュールにおける前記ローカルESG情報を削除し、
前記番組受信映写モジュールは、前記ESG管理モジュールが送信した番組映写情報を用いて番組データを受信して映写し、
前記記憶モジュールは、前記ローカルESG情報を記憶し、前記継続的サービス多重構成表またはショートタイムサービス多重構成表を記憶する
電子サービスガイド（ESG）情報を生成し応用する端末。
【請求項６】
前記サービスIDは、ネットワーク側が番組源ごとに配置したサービスIDであり、前記サービスIDは番組源の番組映写情報に対応する請求項５に記載の端末。
【請求項７】
前記制御情報表は、継続的サービス構成表またはショートタイムサービス構成表である請求項５に記載の端末。
【請求項８】
前記番組映写情報は、変調モード、コーディングレート、スクランブルモード、バイトスワップモード及びスロット数の１つまたは複数の組合せを含む請求項５に記載の端末。
【発明の詳細な説明】
【技術分野】
【０００１】
本発明は、ESG（Electronic Service Guide：電子サービスガイド）情報を生成し応用する方法及び端末に関する。
【背景技術】
【０００２】
ESGは、ユーザがマルチメディア放送サービスを用いるのを補助する情報である。ユーザは、ESGからマルチメディア放送サービスの関連情報、例えば、サービス名称、映写時間、内容梗概などを得られ、端末のユーザがマルチメディア放送サービスを素早く検索、プレビュー及び訪問するのを便利にさせる。それはユーザがテレビ番組を視聴し情報サービスを楽しむのに良いガイド構造を提供し、ユーザは手軽に素早く自分の好きな番組を見つけ、番組の付加情報を調べることができる。
【０００３】
ESGのこれらの機能は、ユーザが番組を視聴する重要な方法とツールになる。ESGにおいては、複数の付加価値サービス情報が提供されることができて、ESGのユーザグループを充分に利用し、プロバイダーに豊かな利益を創造する。ESGにおける情報量が豊かになることに伴い、ESG情報を有効的に組織しスケジューリングすることは、比較的重要な任務になる。
【０００４】
現在のブロードキャストネットワークにおけるESG送信と受信システムは、ESGサーバ、番組源送信サブシステム及び端末の３つからなる。番組源送信サブシステムにおいて、各番組源は、それぞれサービスIDと対応する。ESGサーバによりESGサービスを番組源送信サブシステムに追加し、番組源送信サブシステムにより番組源のサービスIDをESGに置き、ロジックチャネルによりESG（ESG基本的説明情報、ESGデータ情報と番組提示情報からなる。）を送信する。かつ、番組源のサービスIDと番組映写（放送）情報を制御情報多重フレームにおける継続的サービス多重構成表（CMCT，Continual Service Multiplex Configuration Table）またはショートタイムサービス多重構成表（SMCT，Short time service Multiplex Configuration Table）に置いて制御チャネルにより送信する。
【０００５】
端末は、まず、ESG基本的説明リストを受信し、前記ESG基本的説明リストにより受信されたESGデータ情報をスプライスしてESGファイルを得、ESGファイルを解析して番組源のサービスIDを得、ESGをリアルタイムにユーザに提供し、ユーザは映写を望む番組を選ぶことができる。ユーザがある番組を選んだ後、端末は、当該番組に対応するサービスIDに従って、制御情報多重フレームにおけるCMCTまたはSMCTから対応する番組映写情報を検索し、端末は、当該番組の番組映写情報を抽出した後にデモジュレータに対して相応の設定を行い、プレイヤーは、デモジュレータから番組データを受信して映写する。
【０００６】
ESGサーバによってESGサービスが番組源送信サブシステムに追加されないためにESGが送信されない場合、または他の原因で端末がESGを受信できない場合、従来の技術は、以下の欠点がある。
【０００７】
1．ESGが予めローカルに記憶されない場合、端末がユーザに番組を選択し視聴する重要な方法を提供することができないので、端末は、番組を映写することができない。
【０００８】
2．番組源送信サブシステムにおける番組源と、その対応するサービスIDが変化した場合、端末がブロードキャストネットワークからローカルに記憶されたESGを直ちに更新することができないと、ユーザはA番組を選んでも、B番組が映写されることがある。
【先行技術文献】
【非特許文献】
【非特許文献１】中華人民共和国広播電影電視行業標準  GY/T 220.1-2006  Mobile Multimedia Broadcasting Part 1
【非特許文献２】中華人民共和国広播電影電視行業標準  GY/T 220.1-2006  Mobile Multimedia Broadcasting Part 2
【非特許文献３】中華人民共和国広播電影電視行業標準  GY/T 220.1-2006  Mobile Multimedia Broadcasting Part 3
【発明の概要】
【発明が解決しようとする課題】
【０００９】
本発明が解決しようとする技術的課題は、ESGが予めローカルに記憶されない場合でも、端末が依然としてESGがユーザに提供されて用いられることができ、ユーザが自分の好きな番組を選んで視聴するように、ESG情報を生成し応用する方法及び端末を提供することである。
【課題を解決するための手段】
【００１０】
本発明は、上記の課題を解決するために、電子サービスガイド情報を生成し応用する方法を提供することにある。
【００１１】
端末は、サービスIDを用いて電子サービスガイド（ESG）情報を生成してユーザに提供し、
端末は、ユーザが前記ESG情報から選定したサービスIDを用いて、継続的サービス多重構成表またはショートタイムサービス多重構成表から相応の番組映写情報を抽出し、前記番組映写情報に応じた番組データを受信して映写する。
【００１２】
また、端末は、受信された制御情報表から前記サービスIDを得る。
【００１３】
また、前記制御情報表は、継続的サービス多重構成表またはショートタイムサービス多重構成表である。
【００１４】
また、前記制御情報表は、継続的サービス構成表またはショートタイムサービス構成表である。
【００１５】
また、前記番組映写情報は、変調モード、コーディングレート、スクランブルモード、バイトスワップモード及びスロット数の１つまたは複数の組合せを含む。
【００１６】
本発明は、上記課題を解決するために、ESG情報を生成し応用する端末を提供することにある。
【００１７】
ESG情報を生成し応用する端末は、
番組受信映写モジュールと記憶モジュールを備え、
継続的サービス多重構成表またはショートタイムサービス多重構成表を受信して前記記憶モジュールに記憶する情報受信検出モジュールと、
サービスIDを用いてESG情報を生成し、記憶モジュールに記憶するESG情報生成モジュールと、
前記記憶モジュールから前記ESG情報を抽出してユーザに提供し、ユーザが前記ESG情報から選定したサービスIDを用いて前記継続的サービス多重構成表またはショートタイムサービス多重構成表から相応の番組映写情報を検索して抽出し、前記番組映写情報を前記番組受信映写モジュールに送信するESG管理モジュールとを、さらに備え、
前記番組受信映写モジュールは、前記ESG管理モジュールが送信した番組映写情報を用いて番組データを受信して映写し、
前記記憶モジュールは、前記ESG情報を記憶し、サービス多重構成表またはショートタイムサービス多重構成表を記憶する。
【００１８】
また、前記情報受信検出モジュールは、受信された制御情報表から前記サービスIDを得る。
【００１９】
また、前記制御情報表は、継続的サービス多重構成表またはショートタイムサービス多重構成表SMCTである。
【００２０】
また、前記制御情報表は、継続的サービス構成表またはショートタイムサービス構成表である。
【００２１】
また、前記番組映写情報は、変調モード、コーディングレート、スクランブルモード、バイトスワップモード及びスロット数の１つまたは複数の組合せを含む。
【発明の効果】
【００２２】
本発明は、従来の技術に比べ、以下の利点を持つ。本発明によれば、端末がブロードキャストネットワークからESGを受信することができない場合、依然としてESG情報がユーザに提供されて用いられ、ユーザが自分の好きな番組を選んで視聴するのに便利になり、端末がブロードキャストネットワークからESGを更新することができない場合、番組源送信サブシステムにおける番組源に対応するサービスIDが変化すると、端末は直ちにESG情報を更新し、ユーザが正確な番組を選んで視聴することを保証することもできる。
【図面の簡単な説明】
【００２３】
【図１】移動マルチメディア放送チャネルフレーム構造を示す図である。
【図２】CMCT／SMCTの構造を示す図である。
【図３】本発明に係る実施形態におけるESG情報を生成し応用する方法のフローチャートである。
【図４】番組源送信サブシステム及び本発明に係る実施形態における端末を含むシステムの構造を示す図である。
【図５】本発明に係る実施形態における電子サービスガイド情報を生成し応用することができる端末を示す図である。
【発明を実施するための形態】
【００２４】
本発明の核心思想としては、何らかの原因で端末がロジックチャネルからESGを受信することができない場合、制御チャネルによって受信されたCMCTまたはSMCTを用いてサービスIDを抽出し、ローカルESG（ローカルESGはESG情報であり、ファイル形式で存在してもよいし、メモリ形式で存在してもよい。）を生成してユーザに提供し、ユーザがローカルESGより番組を選んだ後、端末は相応のサービスIDを用いて、CMCTまたはSMCTから相応の番組映写情報を検索して映写する。
【００２５】
以下、添付図面を参照しながら本発明の実施形態を詳細に説明する。
【００２６】
図１は移動マルチメディア放送チャネルフレーム構造を示す図である。図１に示すように、制御情報多重フレームは移動マルチメディア放送チャネルフレームにおける多重フレームマークが０である多重フレームである。多重フレームは多重フレームヘッダ、多重フレームペイロード及び充填からなる。CMCTとSMCTはマークが０である多重フレームの多重フレームペイロードに記憶される。
【００２７】
図２はCMCT／SMCTの構造を示す図である。図２に示すように、CMCTとSMCTに番組源ごとに配置されるサービスIDと各番組源の番組映写情報（変調モード、コーディングレート、スクランブルモード、バイトスワップモード、スロット数等を含む。）が含まれる。
【００２８】
図３は本発明に係る実施形態におけるESG情報を生成し応用する方法のフローチャートである。本実施形態において、ネットワーク側には、番組源ごとにサービスIDが配置され、番組源の番組映写情報と対応するサービスIDを制御情報多重フレームにおけるCMCTとSMCTに置いて制御チャネルにより周期性的に端末に送信する。図３に示すように、当該方法は、以下のステップを含む。
【００２９】
ステップ100において、端末は、端末ブロードキャストネットワークからESGを得、成功ならば、現有のフローで処理し、失敗ならば、ESGが予め記憶されたか否かを検出し、そうであれば、既存のESGを削除した後にステップ10１を行い、そうでなければ、直接ステップ101を行う。
【００３０】
ステップ101において、端末は、制御チャネルから制御情報多重フレームデータを受信し、当該多重フレームデータを解析し、CMCTまたはSMCTを得て記憶する。
【００３１】
端末は、CMCTまたはSMCTをメモリデータ形式で記憶し、またはファイル形式で記憶することができる。
【００３２】
ステップ102において、端末は、CMCTまたはSMCTから抽出される全てのサービスIDを用い、ESGを生成して記憶する。
【００３３】
端末は、CMCTまたはSMCTから全てのサービスIDを抽出してキャッシュした後、一定の方式でローカルESGを生成してもよいし、すべてのサービスIDが抽出されて完全に処理されて最終的にローカルESGが生成されるまでに、CMCTまたはSMCTからサービスIDを抽出しながら、一定の方式でリアルタイムにローカルESGを作成してもよい。端末が作成して生成したローカルESGには番組源のサービスIDのみが含まれる。
【００３４】
ローカルESGは、ESGファイルの形式で存在してよいし、メモリデータであってもよい。端末は、以下の方式でサービスIDを抽出してローカルESGを生成することができる。
【００３５】
サービスIDはXML（eXtensible Markup Language：拡張マークアップ言語）の標準的な文法に基づいてSｃheｍa構造（他の構造を用いてもよい。）に従ったXMLファイルに記述され、ファイル形式のローカルESGが生成される。または、サービスIDが一定の順序（例えば、降順または昇順）でファイルに書き込まれてファイル形式のローカルESGが生成される。または、全てのサービスIDが一定の順序（例えば、降順または昇順）でメモリに記憶されて、メモリ形式のローカルESGが生成される。
【００３６】
ステップ103において、端末は、ローカルESGを解析してユーザに提供する。
【００３７】
端末が生成したローカルESGに番組源のサービスIDのみが含まれるので、単にユーザにESGに対する最も基本的な選択操作を保証することだけができる。例えば、ユーザは、ローカルESGにおける各サービスIDにサービス名称、映写時間、内容梗概などの情報を追加してよいし、好みによりローカルESGにおけるサービスIDのソーティングその他の操作を行なってもよい。
【００３８】
ステップ104において、ユーザがある番組を選んだ後、端末は、当該番組に対応するサービスIDを用い、CMCTまたはSMCTから当該サービスIDに対応する番組映写情報を検索し、前記番組映写情報により番組データをリアルタイムに受信してユーザに映写する。
【００３９】
以下、本発明に係る実施形態におけるESG情報を生成し応用する端末、及び当該端末が存在するシステムを説明する。
【００４０】
図４は番組源送信サブシステム及び本発明に係る実施形態における端末を含むシステムの構造を示す図である。当該システムは、番組源送信サブシステム40と端末50を含む。
【００４１】
番組源送信サブシステム40は、各番組源にサービスIDを配置し、番組源の番組映写情報及び対応するサービスIDを制御情報多重フレームにおけるCMCTまたはSMCTに記憶して周期的に端末50に送信する。
【００４２】
端末50は、ネットワーク側から送信されるESGを受信できないことを検出したとき、受信したCMCTまたはSMCTからサービスIDを抽出し、ローカルESGを生成してユーザに提供する。ユーザがある番組を選んだ後、端末は、ユーザが選んだ番組に相応のサービスIDを用い、前記CMCTまたはSMCTから相応の番組映写情報を検索して抽出し、前記番組映写情報に応じた番組データを受信して映写する。
【００４３】
なお、端末50は、ネットワーク側から送信されるESGを受信できないことを検索したとき、以前にローカルに記憶されたESG（以前にネットワーク側から受信されて記憶されたESGである可能性があり、更新されないローカルESGである可能性もある。）を削除することができる。
【００４４】
図５は本発明に係る実施形態における電子サービスガイド情報を生成し応用する端末を示す図である。当該端末は、情報受信検出モジュール505、ESG情報生成モジュール502、記憶モジュール504、ESG管理モジュール50l及び番組受信映写モジュール503を含む。
【００４５】
情報受信検出モジュール505は、CMCTまたはSMCTを受信して前記記憶モジュール504に記憶し、またネットワーク側からESGを受信できないことが検出されたとき、ESG管理モジュール501に通知して前記ESG情報生成モジュール502を起動させる。
【００４６】
ESG情報生成モジュール502は、記憶モジュール504に記憶されているCMCTまたはSMCTからサービスIDを抽出し、抽出されたサービスIDを用いてローカルESGを生成し、ローカルESGを前記記憶モジュール504に記憶する。
【００４７】
ESG管理モジュール50１は、前記記憶モジュール504からローカルESGを抽出してユーザに提供する。ユーザがある番組を選んだ後、ユーザが選んだ番組に相応のサービスIDを用い、記憶モジュール504のCMCTまたはSMCTから相応の番組映写情報を検索し抽出して、番組受信映写モジュール503に送信する。また、ESG管理モジュール501は、情報受信検出モジュール505が送信した通知をさらに受信し、前記記憶モジュール504におけるローカルESGを削除する。
【００４８】
番組受信映写モジュール503は、前記ESG管理モジュール50１が送信した番組映写情報（変調モード、コーディングレート等を含む。）に応じて相応的なコンフィギュレーションを実行し、連続的に番組データを受信してユーザに映写する。一般的に、番組受信映写モジュールは、端末におけるデモジュレータと映写モジュールである。
【００４９】
前記記憶モジュール504は、ローカルESG、及びCMCTまたはSMCTを記憶する。
【００５０】
上記の装置における各モジュール機能の具体的な実現の細部は、上記の方法の説明通りであるので、ここでは省略する。
【００５１】
本発明の基本的な原理によれば、上記の実施形態は、様々な変換方式があり、例えば、
端末は、継続的サービス多重構成表（CMCT）またはショートタイムサービス多重構成表（SMCT）からサービスIDを得る以外に、ほかの制御情報表（例えば、継続的サービス構成表、またはショートタイムサービス構成表）からサービスIDを得ることができる。
【００５２】
また、サービスIDは、通常、変化しないので、端末は、ローカルに記憶されたESG（当該ESGの番組映写情報は変化された可能性がある。）からサービスIDを得られ、そのサービスIDをESG情報としてユーザに提供することができる。
【産業上の利用可能性】
【００５３】
本発明によれば、端末がブロードキャストネットワークからESGを受信することができない場合、依然としてESG情報がユーザに提供されて用いられ、ユーザが自分の好きな番組を選んで視聴するのに便利になり、また、端末がブロードキャストネットワークからESGを更新することができない場合、番組源送信サブシステムにおける番組源と対応するサービスIDが変化すると、端末は、直ちにESG情報を更新し、ユーザが正確な番組を選んで視聴することを保証することもできる。
【図１】
0005670890.tif 000002
【図２】
0005670890.tif 000003
【図３】
0005670890.tif 000004
【図４】
0005670890.tif 000005
【図５】
0005670890.tif 000006